(57)【要約】【課題】情報送信機と情報受信機との間、あるいは情報送受信機どうしの間を、電源電圧可変型の電源線とこれに関連する少なくとも一組の通信線からなるケーブルを用いて接続するためのコネクタであって、電源電圧を変更しても（あるいは電源電圧が変動しても）、コネクタに設置してある電圧印加状態を表示する発光装置の破壊を防止できるばかりでなく、前記発光装置に照明機能をもたせて、夜間でもコネクタを差し込む相手コネクタの存在位置を容易に確認できるようにしたコネクタを提供する。【解決手段】通信規格に適合して電源電圧の変更・変動に対応できる電源線と、これに関連した通信線の少なくとも一組からなるケーブル、またはその代替物によって、情報送信機と情報受信機との間、あるいは情報送受信機どうしを接続するためのコネクタにおいて、電源線に対して電源安定化装置を介して照明機能及び表示機能を有する発光装置を設置した。        【選択図】図１
2016103312.tif 000002
【特許請求の範囲】
【請求項１】
通信規格に適合して電源電圧の変更・変動に対応できる電源線と、これに関連した通信線の少なくとも一組からなるケーブル、またはその代替物によって、情報送信機と情報受信機との間、あるいは情報送受信機どうしを接続するためのコネクタにおいて、電源線に対して電源安定化装置を介して照明機能及び表示機能を有する発光装置を設置したことを特徴とするコネクタ。
【請求項２】
電源線に接続する電源安定化装置として、シリーズ・レギュレーター又はスイッチング・レギュレーターを用いたことを特徴とする請求項１に記載のコネクタ。
【請求項３】
電源線に接続する電源安定化装置として、定電流ダイオードを用いたことを特徴とする請求項１に記載のコネクタ。
【請求項４】
中間挿入型コネクタを用いて情報送受信機に設けたコネクタに接続できるように構成されていることを特徴とする請求項１に記載のコネクタ。
【請求項５】
コネクタに設置した発光装置の光がコネクタの先端前方を照明するように構成されていることを特徴とする請求項１に記載のコネクタ。
【発明の詳細な説明】
【技術分野】
【０００１】
本発明は、例えば車両の中央制御装置と周辺機器との間、あるいは情報端末装置どうしの間などを、電源線とこれに関連する少なくとも一組の通信線からなるケーブル、あるいは当該ケーブルの代替物（例えば中間挿入型コネクタ）で連結・接続する場合に用いるコネクタに関する。
【背景技術】
【０００２】
本発明のコネクタの従来技術として、特開２０００−３２４５４３号公報では、図７に示すように、内部に駆動指令が与えられると点灯するＬＥＤ８０が配置され、携帯電話機８１およびデータ端末８２を接続可能に構成された通信アダプタ８３が開示されている。
【０００３】
また、例えば車両の中央制御装置と周辺機器との間を、電源線とこれに関連する少なくとも一組の通信線からなるケーブルで接続する場合、従来は、図８に示すような接続構成が一般的であった。図７において、７１は中央制御装置などの情報送受信機の一部、７２は情報送受信機の一部７１に設けたコネクタ（雄型又は雌型の差し込み式接続器である場合が多い）である。また、７３は周辺機器などの情報送受信機の一部、７４は情報送受信機の一部７３に設けたコネクタである。さらに、７５は、電源線７５Ａ、７５Ｂとこれに関連する通信線７５Ｃ、７５Ｄからなるケーブルである。７６はケーブル７５の一端をコネクタ７２に接続するためのコネクタ、７７はケーブル７５の他端をコネクタ７４に接続するためのコネクタである。このような構成において、周辺機器などの情報送受信機の一部７３に設けたコネクタ７４に接続するためのコネクタ７７の電源線７５Ａ、７５Ｂ間には、抵抗体７８を介して電圧印加状態であることを表示する発光装置（例えば発光ダイオード）７９が接続されている場合がある。
【０００４】
図７に示すようなコネクタ７７を用いた場合、次のような問題が生じる。先ず、これまでは通信規格によってケーブル７５の電源線７５Ａ、７５Ｂの電源電圧は一定（例えば５Ｖ）でなければならないとされていたが（電圧固定型あるいは電圧一定型）、通信規格の改正により、同一ケーブルでの電源電圧の変更（例えば５Ｖから８Ｖ）が認められるようになった（電圧可変型）。
ところが、図７に示すような電圧固定型の構成において、新しい規格に基づいて電源電圧を上げてしまうと、コネクタ７７に設置した抵抗体７８、発光装置７９に過電圧がかかり、これらの装置が破壊してしまうという問題がある。次に、車両などにおいては、夜間にコネクタ７７を周辺機器のコネクタ７４に接続しようとする際、表示機能しかもたない発光装置７９の光では相手コネクタ７４を探しにくいという問題がある。
【先行技術文献】
【特許文献】
【０００５】
【特許文献１】特開２０００−３２４５４３号公報
【発明の概要】
【発明が解決しようとする課題】
【０００６】
本発明は、情報送信機と情報受信機との間、あるいは情報送受信機どうしの間を、電源電圧可変型の電源線とこれに関連する少なくとも一組の通信線からなるケーブルを用いて接続するためのコネクタであって、電源電圧を変更しても（あるいは電源電圧が変動しても）、コネクタに設置してある電圧印加状態を表示する発光装置の破壊を防止できるばかりでなく、前記発光装置に照明機能をもたせて、夜間でもコネクタを差し込む相手コネクタの存在位置を容易に確認できるようにしたコネクタを提供することを目的とする。
【課題を解決するための手段】
【０００７】
本発明は、通信規格に適合して電源電圧の変更・変動に対応できる電源線と、これに関連した通信線の少なくとも一組からなるケーブル、またはその代替物によって、情報送信機と情報受信機との間、あるいは情報送受信機どうしを接続するためのコネクタにおいて、電源線に対して電源安定化装置を介して照明機能及び表示機能を有する発光装置を設置したことを特徴とする。
【０００８】
更に、電源線に接続する電源安定化装置として、シリーズ・レギュレーター又はスイッチング・レギュレーターを用いると良い。
【０００９】
また、前記電源線に接続する電源安定化装置として、定電流ダイオードを用いても良い。
【００１０】
更に、中間挿入型コネクタを用いて情報送受信機に設けたコネクタに接続できるように構成されていると良い。
【００１１】
更に、前記コネクタに設置した発光装置の光がコネクタの先端前方を照明するように構成されていると良い。
【発明の効果】
【００１２】
本発明のコネクタは、新しい通信規格にもとづいて、電圧可変型の電源線を用いた場合に、電源電圧を大幅に変更したり、大きな電源電圧変動があったりしたときでも、過電圧などにより発光装置が破壊されるのを防ぐことができる。
また、発光装置が照明機能を有するので、夜間でもコネクタを差し込む相手コネクタの存在位置を容易に確認することができる
【図面の簡単な説明】
【００１３】
【図１】本発明に係るコネクタを用いて情報送受信機どうしを接続する場合の各コネクタの配置図
【図２】本発明に係るコネクタの電源安定化装置及び発光装置の回路を示す結線図
【図３】本発明に係るコネクタの別の電源安定化装置及び発光装置の回路を示す結線図
【図４】本発明に係るコネクタを接続したケーブルの他端を直接に情報送受信機のコネクタに接続した場合の各コネクタの配置図
【図５】本発明に係るコネクタを接続したケーブルの他端に情報送受信機のコネクタに接続する別のコネクタを接続した場合の各コネクタの配置図
【図６】本発明に係るコネクタを、中間挿入型コネクタを介して別のコネクタに接続する場合の各コネクタの配置図
【図７】情報送受信機を接続するための従来コネクタの結線図
【図８】情報送受信機を接続するための従来コネクタの結線図
【発明を実施するための形態】
【００１４】
図１は本発明に係るコネクタを用いて、情報送受信機どうしを接続する場合の各コネクタの配置図である。図１において、１１は中央制御装置などの情報送受信機の一部、１２は情報送受信機の一部１１に設けたコネクタ（雄型又は雌型の差し込み式接続器である場合が多い）である。また、１３は周辺機器などの情報送受信機の一部、１４は情報送受信機の一部１３に設けたコネクタである。さらに、１５は、電源線１５Ａとこれに関連する通信線１５Ｂからなるケーブルである。１６はケーブル１５の一端をコネクタ１２に接続するためのコネクタ、１７はケーブル１５の他端をコネクタ１４に接続するための、本発明に係るコネクタである。このような構成において、周辺機器などの情報送受信機の一部１３に設けたコネクタ１４に接続するためのコネクタ１７の電源線１５Ａには、電源安定化装置を介して照明機能及び表示機能を有する発光装置１８を設置した。
【実施例１】
【００１５】
図２は、情報送受信機２１の一部に設けたコネクタ２２に接続するコネクタ２３内の電源線２４Ａ、２４Ｂの間に電源安定化装置として、シリーズ・レギュレーター２５を挿入し、これを介して照明機能及び表示機能を有する発光装置２６を接続したものである。なお電源安定化装置としては、スイッチング・レギュレーターを用いてもよい。
【実施例２】
【００１６】
図３は、コネクタ３１の電源線３２Ａ、３２Ｂの間に、電源安定化装置として定電流ダイオード３３を介して発光装置３４を接続したものである。電源電圧が変動しても、定電流ダイオード３３により電圧ロスは発生するが、発光装置３４に流れる電流は一定であるため、発光装置３４が破壊されることはない。
【実施例３】
【００１７】
図４は、本発明に係るコネクタ４１がケーブル４２を介して直接に情報送受信機４３の一部に設けたコネクタ４４に接続されている例を示す。また、図５は、本発明に係るコネクタ５１がケーブル５２を介して他のコネクタ５３に接続されており、このコネクタ５３を情報送受信機の一部５４に設けたコネクタ５５に接続するようになっている。しかし、図６に示すように、本発明に係るコネクタ６１は、ケーブルを用いずに中間挿入型のコネクタ６２を用いて情報送受信機のコネクタ６３、６４に接続することができる。
【実施例４】
【００１８】
図４乃至図６に示すように、いずれの構成においても、本発明に係るコネクタ４１、５１に設けた発光装置４５又は５６からの光はコネクタの先端前方を照明する構成となっている。
【産業上の利用可能性】
【００１９】
本発明のコネクタは、電源電圧を変更しても、コネクタに設置してある発光装置の破壊を防止できる照明機能付きコネクタとして、産業上有効に利用することができる。
【符号の説明】
【００２０】
１１：情報送受信機 、１２：コネクタ、１３：情報送受信機、１４：コネクタ、１５：ケーブル、１５Ａ：電源線、１５Ｂ：通信線、１６：コネクタ、１７：コネクタ、１８：発光装置、２１：情報送受信機、２２：コネクタ、２３：コネクタ、２４Ａ：電源線、２４Ｂ：電源線、２５：シリーズ・レギュレーター、２６：発光装置、３１：コネクタ、３２Ａ：電源線、３２Ｂ：電源線、３３：定電流ダイオード、３４：発光装置、４１：コネクタ，４２：ケーブル、４３：情報送受信機、４４：コネクタ、４５：発光装置、５１：コネクタ、５２：ケーブル、５３：コネクタ、５４：情報送受信機、５５：コネクタ、５６：発光装置、６１：コネクタ、６２：コネクタ、６３：コネクタ、６４：コネクタ、７１：情報送受信機、７２：コネクタ、７４：コネクタ、７５：ケーブル、７５Ａ：電源線、７５Ｂ：電源線、７５Ｃ：通信線、７５Ｄ：通信線、７６：コネクタ、７７：コネクタ、７８：抵抗体、７９：発光装置、８０：ＬＥＤ、８１：携帯電話機、８２：データ端末、８３：通信アダプタ
【図１】
2016103312.tif 000003
【図２】
2016103312.tif 000004
【図３】
2016103312.tif 000005
【図４】
2016103312.tif 000006
【図５】
2016103312.tif 000007
【図６】
2016103312.tif 000008
【図７】
2016103312.tif 000009
【図８】
2016103312.tif 000010